(57)【要約】【課題】障子戸の戸枠に貼ったばかりの障子紙が、容易かつきれいに切断可能な障子紙切断器を提供する。【解決手段】障子戸１３に貼り付けられた障子紙１４を、障子戸の戸枠１３ａに沿って切断する障子紙切断器であって、障子紙の切断方向と直交する稜線１ｃを挟んで前後に対向するように設けられた少なくとも２面の傾斜面１ａ，１ｂが底面に形成された切断器本体１と、切断器本体の一側面に形成された凹部１ｇに着脱自在に嵌装されたカッタ取り付け部材４と、カッタ取り付け部材の両端側に回転自在に支承され、かつ傾斜面に開口された切欠１ｈより出没自在に突出されたローラ３と、ローラを突出方向へ付勢する付勢手段６と、カッタ取り付け部材に着脱自在に取り付けられ、かつローラの近傍にて傾斜面より刃の一部が突出するカッタ２と、切断器本体の他側面に取り付けられ、かつ切断器本体を戸枠に沿ってガイドするガイド部材５とから構成した。【選択図】図１
2011092385.tif 000002
【特許請求の範囲】
【請求項１】
障子戸に貼り付けられた障子紙を、前記障子戸の戸枠に沿って切断する障子紙切断器であって、前記障子紙の切断方向と直交する稜線を挟んで前後に対向するように設けられた少なくとも２面の傾斜面が底面に形成された切断器本体と、前記切断器本体の一側面に形成された凹部に着脱自在に嵌装されたカッタ取り付け部材と、前記カッタ取り付け部材の両端側に回転自在に支承され、かつ前記傾斜面に開口された切欠より出没自在に突出されたローラと、前記ローラを突出方向へ付勢する付勢手段と、前記カッタ取り付け部材に着脱自在に取り付けられ、かつ前記ローラの近傍にて前記傾斜面より刃の一部が突出するカッタと、前記切断器本体の他側面に取り付けられ、かつ前記切断器本体を前記戸枠に沿ってガイドするガイド部材とを具備したことを特徴とする障子紙切断器。
【請求項２】
前記ガイド部材に形成された溝幅が一定の固定溝が嵌合するガイドレールと、前記ガイドレールの両端部に前記ガイドレールの長手方向に移動自在に支承され、かつ前記戸枠を挟着する挟着部材とからなるガイド手段を前記切断器本体と組み合わせることにより、前記切断器本体を前記戸枠に沿って移動自在としてなる請求項１に記載の障子紙切断器。
【請求項３】
前記ガイド部材に、前記戸枠の外側面に当接して前記切断器本体を前記戸枠に沿ってガイドする外側ガイド板と、前記切断器本体に対し前記ガイド部材を接離方向へ移動自在に支承するガイドピンと、前記カッタから前記外側ガイド板までの距離を調整する調整ねじを設けてなる請求項１または２に記載の障子紙切断器。
【請求項４】
前記切断器本体の前後端面に、前記戸枠の内側面に合せることにより、前記戸枠の内側面から切断位置までの幅を設定する所定幅目盛と、切断位置を設定する切断位置目盛を表示してなる請求項１ないし３の何れかに記載の障子紙切断器。
【発明の詳細な説明】
【技術分野】
【０００１】
本発明は、障子戸に貼り付けられた障子紙を戸枠に沿って切断するための障子紙切断器に関する。
【背景技術】
【０００２】
建具として古くから使用されている障子戸は、縦框と上下桟とからなる戸枠の内側に組格子が組み込まれていて、戸枠と組格子に障子紙を貼り付けて使用に供されるが、長期間使用していると、障子紙が破れたりくすんだりして美観が著しく低下するため、障子紙の張替えが繰り返し行われている。
障子紙の張替えは、戸枠と組格子の片面に糊等の接着剤を塗布した後、接着剤が乾かないうちに障子紙を貼り付けるが、障子紙の貼り付け作業を容易とするため、障子紙は所定の寸法より予め大きく切断しておき、障子紙を貼り終えた後、所定の寸法に切断する方法がとられている。
【０００３】
障子紙を切断する方法としては、障子戸を水平に寝かせた状態で仮想した切断線に定規を当て、先端が鋭利なカッタ等を定規に沿って移動させることにより、障子紙を所定の切断位置で切断する方法が一般的であるが、障子戸にはり終えたばかりの障子紙は接着剤の水分を含んでいるため、鋭利なカッタ等を使用しても切断途中で障子紙が破れたり皺が寄ったりすることがあり、きれいに切断するためには熟練を要する。
また障子紙を接着する接着剤が完全に乾くのを待って障子紙を切断すればこのような問題は発生しないが、この方法では切断した余剰部分が戸枠に強固に接着していて、剥離するのに手間がかかる上、余剰部分の一部が戸枠に残ってしまうことがあるため、仕上がりが悪い等の問題がある。
【０００４】
かかる問題を改善するため、障子戸に貼り付けた障子紙をきれいに切断するための障子紙切断器が例えば特許文献１や２で提案されている。
特許文献１に記載の障子紙切断器は、棒把手より延設された当て板に切断方向に沿ったスリットが形成されていて、このスリットにカッタが設けられたスライダスライド自在に取り付けられている。
そして棒把手の底面より下方へ突出されたガイド板を戸枠に当接して切断位置を決めたら、スライダをスリットに沿って移動させることにより、スライダに設けたカッタにより障子紙を切断するようにしたもので、戸枠表面の内側に連続して帯状に形成された窪み面の直線状をした内側縁に沿って常に正確に凹凸なく直線状に切断することが可能となる等の効果を有している。
【０００５】
また特許文献２の障子紙切断器は、中央部にねじ穴が穿設されたガイド板に、カッタ摺動溝穴が形成された長尺板を取り付けてＴ定規としたスライド板に、断面Ｌ字形のガイド板が移動調整自在に取り付けられていて、ガイド板を戸枠に当接して切断位置を位置決めしたら、長尺板に形成されたカッタ摺動溝に沿ってカッタを移動させることにより、障子紙を切断するようにしたもので、誰でもが容易に障子戸の戸枠に貼られた障子紙を戸枠の角面に平行に切断することができる効果を有している。
【先行技術文献】
【特許文献】
【０００６】
【特許文献１】特開２００２−２７３６８５号公報
【特許文献２】特開２００５−７３９９８号公報
【発明の概要】
【発明が解決しようとする課題】
【０００７】
しかし前記特許文献１の障子紙切断器ように、棒把手の底面より下方へ突出されたガイド板を戸枠に当接して切断位置を決めした後、スライダをスリットに沿って移動させることにより、スライダに設けたカッタにより障子紙を切断するようにしたものでは、戸枠に当接するガイド板からスライダに設けられたカッタの位置までの距離が一定のため、戸枠を構成する縦框や上下桟の幅が変わった場合、所定の切断位置から切断できない問題がある。
このような場合、ガイド板を没入させた状態で棒把手の底面を戸枠上に置き、ガイド板を付勢する付勢手段により棒把手が浮き上がらないようにしながらスライダを移動させることにより、障子紙の切断は可能である。
しかし戸枠が長尺の場合、一度に全長を切断することができないため、棒把手を持ち替える動作が必要であり、このとき付勢手段が棒把手を浮き上がらせることがあるため、切断位置がずれる問題がある。
【０００８】
一方特許文献２の障子紙切断器は、断面Ｌ字形のガイド板が移動調整自在に取り付けられているため、戸枠の幅が変わって場合、ガイド板の位置を調整することにより対応することができる。
しかし手で持ったカッタを長尺板に形成されたカッタ摺動溝に沿って移動させることにより、障子紙を切断するようにしていることから、戸枠に貼り終えたばかりの障子紙のように接着剤の水分を含んでいる場合、鋭利なカッタ等を使用しても切断途中で障子紙が破れたり皺が寄ったりするため、きれいに切断するためには熟練を要する問題がある。
本発明はかかる問題を改善するためになされたもので、障子戸の戸枠に貼ったばかりの障子紙のように接着剤の水分を含んでいても、容易かつきれいに障子紙の切断が可能な障子紙切断器を提供することを目的とするものである。
【課題を解決するための手段】
【０００９】
本発明の障子紙切断器は、障子戸に貼り付けられた障子紙を、障子戸の戸枠に沿って切断する障子紙切断器であって、障子紙の切断方向と直交する稜線を挟んで前後に対向するように設けられた少なくとも２面の傾斜面が底面に形成された切断器本体と、切断器本体の一側面に形成された凹部に着脱自在に嵌装されたカッタ取り付け部材と、カッタ取り付け部材の両端側に回転自在に支承され、かつ傾斜面に開口された切欠より出没自在に突出されたローラと、ローラを突出方向へ付勢する付勢手段と、カッタ取り付け部材に着脱自在に取り付けられ、かつローラの近傍にて傾斜面より刃の一部が突出するカッタと、切断器本体の他側面に取り付けられ、かつ切断器本体を戸枠に沿ってガイドするガイド部材とから構成したものである。
【００１０】
前記構成により、障子紙を切断するカッタの近傍に設けられたローラが戸枠上の障子紙の接着部分を押圧するため、戸枠に貼り終えたばかりの障子紙のように接着剤の水分を含んでいる場合でも、障子紙が破れたり皺が寄ったりすることがなく、これによって何ら熟練を必要とせずに障子紙を容易かつきれいに切断することができる。
また切断器本体を戸枠に沿ってガイドするガイド部材を設けたことにより、余剰部分を切徐した後の切断線が蛇行することがないので見栄えがよいと共に、切断器本体の底面に少なくとも２面の傾斜面を形成したことにより、切断器本体を左右どちらの手で持っても障子紙の切断方向へ切断器本体を移動させることができ、利き手に関係なく操作することができるため操作性も大変よい。
【００１１】
本発明の障子紙切断器は、ガイド部材に形成された溝幅が一定の固定溝が嵌合するガイドレールと、ガイドレールの両端部にガイドレールの長手方向に移動自在に支承され、かつ戸枠を挟着する挟着部材とからなるガイド手段を切断器本体と組み合わせることにより、切断器本体を前記戸枠に沿って移動自在とから構成したものである。
【００１２】
前記構成により、戸枠に取り付けたガイド手段のガイドレールに沿って切断器本体を移動させることができるため、切断器本体の移動操作が安定して行えるようになり、これによって切断速度を上げることができることから、障子紙の張替え作業が短時間で能率よく行えるようになる。
【００１３】
本発明の障子紙切断器は、ガイド部材に、戸枠の外側面に当接して切断器本体を戸枠に沿ってガイドする外側ガイド板と、切断器本体に対しガイド部材を接離方向へ移動自在に支承するガイドピンと、カッタから外側ガイド板までの距離を調整する調整ねじを設けたものである。
【００１４】
前記構成により、ガイド手段を使用せずに障子紙の余剰部分を切断することができるため、縦框のような戸枠の長尺部分に貼り付けられた障子紙の切断が容易に行える。
【００１５】
本発明の障子紙切断器は、切断器本体の前後端面に、戸枠の内側面に合せることにより、戸枠の内側面から切断位置までの幅を設定する所定幅目盛と、切断位置を設定する切断位置目盛を表示したものである。
【００１６】
前記構成により、戸枠の内側面から所定幅の位置で障子紙を確実に切断することができるようになる。
【発明の効果】
【００１７】
本発明の障子紙切断器によれば、障子紙を切断するカッタの近傍に設けられたローラが戸枠上の障子紙の接着部分を押圧するため、戸枠に貼り終えたばかりの障子紙のように接着剤の水分を含んでいる場合でも、障子紙が破れたり皺が寄ったりすることがなく、これによって何ら熟練を必要とせずに障子紙を容易かつきれいに切断することができる。
また切断器本体を戸枠に沿ってガイドするガイド部材を設けたことにより、余剰部分を切徐した後の切断線が蛇行することがないので見栄えがよいと共に、切断器本体の底面に少なくとも２面の傾斜面を形成したことにより、切断器本体を左右どちらの手で持っても障子紙の切断方向へ切断器本体を移動させることができ、利き手に関係なく操作することができるため操作性も大変よい。
【図面の簡単な説明】
【００１８】
【図１】本発明の実施の形態になる障子紙切断器の斜視図である。
【図２】本発明の実施の形態になる障子紙切断器の側面図である。
【図３】本発明の実施の形態になる障子紙切断器の分解斜視面である。
【図４】本発明の実施の形態になる障子紙切断器の上面図である。
【図５】本発明の実施の形態になる障子紙切断器の底面図である。
【図６】本発明の実施の形態になる障子紙切断器の正面図である。
【図７】図２のＡ−Ａ線に沿う断面図である。
【図８】本発明の実施の形態になる障子紙切断器に使用するガイド手段の斜視面である。
【図９】本発明の実施の形態になる障子紙切断器の使用状態の説明図である。
【図１０】本発明の実施の形態になる障子紙切断器の使用状態の説明図である。
【図１１】本発明の実施の形態になる障子紙切断器の使用状態の説明図である。
【発明を実施するための形態】
【００１９】
本発明の実施の形態を、図面を参照して詳述する。
本発明の障子紙切断器は図３に示すように、切断器本体１と、カッタ２及びローラ３を切断器本体１に取り付けるカッタ取り付け部材４と、切断器本体１をガイド手段１２に沿って案内するガイド部材５と、ローラ３を下方向へ付勢する付勢手段６とからなる。
切断器本体１は、底面に２面の傾斜面１ａ，１ｂは形成されていて、両傾斜面１ａ，１ｂは切断器本体１の底部中央で、切断器本体１の進行方向と直交するよう互いに交わっており、両傾斜面１ａ，１ｂが形成する稜線１ｃを中心とする両傾斜面１ａ，１ｂの角度はほぼ１４０度となっている。
切断器本体１の上面中央部は平坦面１ｄに、そして平坦面１ｄの両側は、前後端面１ｅ側へ順次低く傾斜する傾斜面１ｆとなっており、全体が樹脂により一体成形されている。
【００２０】
切断器本体１の一方の側面には、水平方向のほぼ半分より下側に凹部１ｇが形成されていて、この凹部１ｇに切断器本体１の側方からカッタ取り付け部材４が嵌合できるようになっている。
凹部１ｇは、水平方向に細長い長方形状となっていて、凹部１ｇの両端側には、切断器本体１の底面を切り欠くことにより、ローラ３を切断器本体１の底面側に突出させるための切欠１ｈが形成されている。
カッタ取り付け部材４は、切断器本体１の凹部１ｇに密に嵌合する板状に形成されていて、両端側にローラ３の幅にほぼ等しい段部４ａが切り欠き形成されており、裏面にはカッタ２を取り付けるための２本の取り付けピン７が長手方向に間隔を存して突設されている。
カッタ取り付け部材４の各段部４ａには、上下方向に長い長孔４ｂがカッタ取り付け部材の４の表裏面を貫通するように穿設されていて、これら長孔４ｂにローラ３の一端面より突設された軸部３ａが回転自在に嵌挿されている。
【００２１】
ローラ３は全体が滑性を有し、かつ非粘着性を有する例えばエチレン樹脂により一体成形されており、軸部３ａはローラ３部分より小径となっている。
カッタ取り付け部材４の表面側に開口された長孔４ｂの開口部間には、水平方向にスリット状の収納溝４ｃが凹設されていて、この収納溝４ｃに付勢手段６が圧入されている。
付勢手段６は、幅の狭い板ばねによりほぼへ字状に形成されていて、屈曲部の上面が収納溝４ｃの上面に圧接されており、付勢手段６の両端部は、ローラ３の軸部３ａの外周面に沿うよう湾曲されていて、これら湾曲部６ａが長孔４ｂに嵌合されたローラ３の軸部３ａ外周面を上方より押圧することにより、切断器本体１の底面に開口された切欠１ｈよりローラ３の外周面の一部が傾斜面１ａ，１ｂより突出するようになっている。
【００２２】
カッタ取り付け部材４の前面に形成された収納溝４ｃのほぼ中間部の上方には、ねじ孔４ｄが形成されていて、このねじ孔４ｄにストッパ８が着脱自在に螺挿されている。
ストッパ８は、収納溝４ｃの中間部を覆うような例えば頭部の大きいビスにより形成されていて、収納溝４ｃに収納された付勢手段６が抜け出すのを頭部で阻止している。
カッタ取り付け部材４の裏面に突設された取り付けピン７は、例えば剃刀の刃よりなるカッタ２に予め形成されている水平方向に細長い一対の取り付け孔２ａの外側端に嵌合するよう間隔が設定されており、これら取り付けピン７にカッタ３を取り付けた状態でカッタ取り付け部材４を切断器本体１の凹部１ｇに嵌合すると、図２に示すようにカッタ２の刃２ｂの角部２ｃが切欠１ｈよりローラ４の突出部近傍に突出するようになっている。
【００２３】
また切断器本体１の前後端面１ｅには図１や図６に示すように、切断位置を決める際の目安となる切断位置目盛１ｊと、戸枠１３ａの内側面から所定幅Ｗ１（図８参照）を残して余剰部分を切断する際に目安とする所定幅目盛１ｋが縦方向に表示されている。
切断位置目盛１ｊは、切断器本体１を前後方向から見た場合にカッタ２と合致する位置に表示され、所定幅目盛１ｋは、切断位置目盛１ｊより所定幅Ｗ１離れた位置に互いに平行するように表示されている。
【００２４】
一方切断器本体１のカッタ取り付け部材４取り付け面と反対の側面に取り付けて使用するガイド部材５は、切断器本体１の側面よりやや小さいほぼ同形状となっていて、切断器本体１のほぼ半分の厚み有しており、全体が樹脂により一体成形されていると共に、切断器本体１の側面に当接する面に一対のガイドピン９が水平方向に離間して突設されている。
これらガイドピン９は、切断器本体１の側面に穿設されたピン孔１ｎに摺動自在に嵌合できるようになっており、切断器本体１の側面に当接する面と反対側の面には、外側ガイド板５ａが一体に突設されている。
外側ガイド板５ａは、切断器本体１の側面とほぼ同形状となっていて、上面側に可変ガイド溝５ｂが、そして下面側に固定ガイド溝５ｃが形成されており、切断器本体１に対しガイド部材５を脱着することにより、上下面が反転使用できるようになっている。
【００２５】
可変ガイド溝５ｂは、後述する障子戸１３の戸枠１３ａを構成する縦框１３ｂや上下桟１３ｃ（なお下桟は図示省略）の側面に外側ガイド板５ａを直接当接して障子紙１４を切断する際に使用するもので、調整ねじ１０により溝幅が調整できるようになっている。
固定ガイド溝５ｃは、切断器本体１に当接する面に形成された内側ガイド板５ｄと外側ガイド板５ａの間隔がガイド手段１２に設けられたガイドレール１２ａに嵌合する幅となっている。
可変ガイド溝５ｂの溝幅を調整する調整ねじ１０は、ガイド部材５のほぼ中央部に形成されたねじ孔５ｅに螺挿されていて、先端部はカッタ取り付け部材４を切断器本体１に固定すべく切断器本体１側より螺挿された取り付けねじ１１の頭部１１ａに図に示すように当接されている。
【００２６】
また障子紙１４を切断する際切断器本体１をガイドするガイド手段１２は、図９に示すように断面がほぼ正方形のガイドレール１２ａと、ガイドレール１２ａの底辺より延設された平板部１２ｂとからなり、戸枠１３ａの例えば上下桟１３ｃの長さよりやや長くなるよう全長が設定されている。
ガイド手段１２の両端部には、樹脂により一体成形されたほぼ正方体状の挟持部材１２ｃが設けられている。
【００２７】
挟持部材１２ｃはガイドレール１２ａ及び平板部１２ｂを戸枠１３ａに固定するもので、上部に突設された突起１２ｄにビス等の固着具１２ｅにより柱状の移動子１２ｆの一端が固着されている。
移動子１２ｆの他端は、ガイドレール１２ａの端面側よりガイドレール１２ａ内に摺動自在に嵌挿されており、移動子１２ｆの他端面には、コイルばねよりなる引張ばね１２ｇの一端が係止されており、引張ばね１２ｇの他端はガイドレール１２ａの上下方向に設けられた係止ピン１２ｈに係止されていて、各挟持部材１２ｃをガイドレール１２ａの中間部方向へ付勢している。
【００２８】
次に前記のように構成された障子紙切断器の作用を説明する。
図９に示すように障子戸１３の戸枠１３ａと組格子１３ｄの一方の面に障子紙１４を貼り終えたら、接着剤が多少乾燥するのを待って障子紙１４の余剰部分を切断する作業を行う。
障子紙１４の余剰部分を切断するに当たっては、障子紙１４を貼った面を上にして障子戸１３を水平に置き、始めに切断する位置の例えば上桟１３ｃ上に図９に示すようにガイド手段１２を載置する。
なお障子戸１３を水平に置くためのスペースがない場合は、障子戸１３を斜めに立て掛けた状態でもよい。
【００２９】
次にガイド手段１２の両端部に設けられた挟持部材１２ｃを互いに離間する方向へ引っ張りながら、各挟持部材１２ｃの間隔を上桟１３ｃの長さよりやや広くし、各挟持部材１２ｃの互いに対向する面を縦框１３ｂの外側面に当接することにより、各挟持部材１２ｃの間で戸枠１３ａを挟持して戸枠１３ａにガイド手段１２を仮固定する。
そして固定ガイド溝５ｃが下面となるようガイド部材５を切断器本体１の側面に取り付けたら、図９に示すようにガイド部材５の固定ガイド溝５ｃをガイド手段１２のガイドレール１２ａに上方から嵌合する。
その後戸枠１３ａに仮固定したガイド手段１２を縦框１３ｂの長手方向へ移動させて、切断器本体１の前後端面に表示された所定幅目盛１ｋを上桟１３ｃの内側面に合わせる。
これによって上桟１３ｃの内側面より所定幅Ｗ１の位置にカッタ２の位置が自動的に位置決めされる。
【００３０】
また所定幅目盛１ｋを上桟１３ｃの内側面に合わせる際、すでに障子紙１４が貼られた上桟１３ｃの内側面を障子紙１４を透かして見ることになるが、障子紙１４は半透明なため、上桟１３ｃの内側面の位置を容易に確認することができる。
次にガイド手段１２のガイドレール１２ａが上桟１３ｃの内側面と平行になっているのを確認したら、図１０に示すように切断器本体１の引く方向（矢印Ｂ）に対し、底面の稜線１ｃより後方の傾斜面１ａが障子紙１４の上面に当接するよう切断器本体１を傾斜させて、切断器本体１を右手で保持する。
なお作業者が左利きで、切断器本体１を左手で保持する場合は、傾斜面１ｂ側が障子紙１４の上面に当接するように切断器本体１を傾斜させる。
【００３１】
そしてガイド手段１２のガイドレール１２ａにガイド部材５をガイドさせながら、ガイドレール１２ａに沿って切断器本体１を矢印Ｂ方向へ移動させて、傾斜面１ａより僅かに突出するカッタ２の角部２ｃで障子紙１２を切断するもので、このとき付勢手段６により下方向へ付勢されたローラ３が切断中の障子紙１４の接着部分をカッタ２の角部２ｃ近傍で押圧しているため、障子紙１２に多少の水分が含まれていても、障子紙１２に皺や破れが発生することなく切断が可能になる。
また障子紙１４が上桟１３ｃの外側面からはみ出るように予め大き目に切断されている場合は、ガイド手段１２を保持する力と、切断器本体１が浮き上がらないように押し付ける力によりガイド手段１２の平板部１２ｂが余剰部分を上から上桟１３ｃの上面へ押し付けるため、さらに障子紙１２に皺や破れが発生することなく切断できるようになる。
【００３２】
以下同様にして戸枠１３ａの下桟１３ｃに貼られた障子紙１４の余剰部分を切徐し、下桟１３ｃの切徐が完了したら戸枠１３ａの縦框１３ｂに貼られた障子紙１４の切断作業を行うことになるが、縦框１３ｂは上下桟１３ｃに比べて長尺な場合が多い。
このような場合、予め縦框１３ｂ用の長尺用のガイド手段１２を用意しておけば、上下桟１３ｃと同様な方法で障子紙１４の切断が可能であるが、長尺用のガイド手段１２がない場合は、縦框１２ｂの外側面をガイドにして障子紙１４を切断する。
縦框１３ｂの外側面をガイドとして使用する場合は、切断器本体１よりガイド部材５を取り外してガイド部材５の上下を反転し、ガイド部材５の側面に突設されたガイドピン９を切断器本体１の側面に穿設されたピン孔１ｊに挿入すると、図１１に示すようにガイド部材５の外側ガイド板５ａが切断器本体１底面の傾斜面１ａ，１ｂより下方へ突出した状態となる。
【００３３】
次に傾斜面１ａまたは１ｂを縦框１３ｂに貼られた障子紙１４上に当接させた状態で、ガイド部材５の外側ガイド板５ａを縦框１３ｂの外側面に当接し、調整ねじ１０を指で締める方向へ回転させる。
調整ねじ１０はガイド部材５に螺挿されていることから、調整ねじ１０を締める方向へ回転させると、調整ねじ１０の先端部が切断器本体１側へと突出し、カッタ取り付け部材４を切断器本体１に取り付けている取り付けねじ１１の頭部１１ａを座にしてガイド部材５を矢印Ｃ方向押し出す。
これによってガイドピン９をガイドにしてガイド部材５が切断器本体１と離間する方向へ移動されるので、切断器本体１の端面に表示した所定幅目盛１ｋが縦框１３ｂの内側面と合致する位置となるまで切断器本体１を移動させる。
【００３４】
そして切断器本体１の所定幅目盛１ｋが縦框１３ｂの内側面と合致したら、その位置で縦框１３ｂの外側面にガイド部材５の外側ガイド板５ａをガイドさせながら切断器本体１を縦框１３ｂの長手方向へ移動させて、傾斜面１ａより僅かに突出するカッタ２の角部２ｃで障子紙１２を切断するもので、このとき付勢手段６により下方向へ付勢されたローラ３が切断中の障子紙１４をカッタ２の角部２ｃ近傍を押圧しているため、障子紙１２に多少の水分が含まれていても、障子紙１２に皺や破れが発生することなく切断が可能になる。
【００３５】
以上のようにガイド手段１２が切断長さに対応する場合は、ガイド手段１２を使用して障子１３に貼られた障子紙１４の余剰部分を切徐し、ガイド手段１２が切断長さに対応しない場合は、ガイド手段１２を使用せずに障子１３に貼られた障子紙１４の余剰部分を切徐することができるようになる。
また切断器本体１に対しガイド部材５を移動調整する調整ねじ１０の先端が、カッタ取り付け部材４を切断器本体１に取り付けている取り付けねじ１１の頭部１１ａに当接していて、取り付けねじ１１の頭部１１ａを座にしてガイド部材５を切断器本体１と離間する方向へと移動させるようにしたことから、ガイド部材５の移動を繰り返しても、調整ねじ１０の反力を受けることによって切断器本体１の側面が損傷されることがない。
【００３６】
一方長期間使用している間にカッタ２の切れ味が低下した場合は、カッタ２を交換することにより、初期の切れ味に回復することができる。
カッタ２を交換するに当たっては、まずガイド部材５を切断器本体１より取り外した状態で、工具を使用して取り付けねじ１１を緩め、この状態でカッタ取り付け部材４を切断器本体１の凹部より１ｇより抜き出す。
そしてこの状態で取り付けピン７より古いカッタ２を取り外して新しいカッタ２と交換したら、前記と逆の操作でカッタ取り付け部材５を切断器本体１に組み込むもので、カッタ２の交換が簡単に行える。
【００３７】
また長期間使用している間に付勢初段６の付勢力が低下した場合は、ストッパ８を切断器本体１より取り外して付勢手段６を新しいものと交換することにより、初期の押圧力がローラ３に得られるようになる。
なお障子紙切断器により切断可能な障子紙１４は、和紙よりなる在来の障子紙は勿論、プラスッチック製の障子紙にも適用することができる。
【符号の説明】
【００３８】
１    切断器本体
１ａ    傾斜面
１ｂ    傾斜面
１ｃ    稜線
１ｅ    前後端面
１ｇ    凹部
１ｈ    切欠
１ｊ    切断位置目盛
１ｋ    所定幅目盛
２    カッタ
３    ローラ
４    カッタ取り付け部材
５    ガイド部材
５ａ    外側ガイド板
５ｃ    固定溝
９    ガイドピン
１０    調整ねじ
１２    ガイド手段
１２ａ    ガイドレール
１２ｃ    挟持部材
【図１】
2011092385.tif 000003
【図２】
2011092385.tif 000004
【図３】
2011092385.tif 000005
【図４】
2011092385.tif 000006
【図５】
2011092385.tif 000007
【図６】
2011092385.tif 000008
【図７】
2011092385.tif 000009
【図８】
2011092385.tif 000010
【図９】
2011092385.tif 000011
【図１０】
2011092385.tif 000012
【図１１】
2011092385.tif 000013